(57)【要約】【課題】ＵＥ＃２との間でビデオ通信を行っているＵＥ＃１を、Ｅ-ＵＴＲＡＮからＵＴＲＡＮ/ＧＥＲＡＮにハンドオーバさせる際に、かかるビデオ通信の切り替え方法を決定するための仕組みを提供する。【解決手段】本発明に係る移動通信方法は、ビデオ通信用の経路を構成するビデオベアラ及び音声ベアラを設定する際に、ＩＭＳが、かかるビデオ通信の切り替え方法について決定する工程と、移動伝達ネットワーク及びｅＮＢが、決定された切り替え方法に係る情報とビデオベアラに係る情報と音声ベアラに係る情報とを関連付ける関連付け情報を保持する工程とを有することを要旨とする。【選択図】図６
2012165201.tif 000002
【特許請求の範囲】
【請求項１】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、
前記ビデオ通信用の経路を構成するビデオベアラ及び音声ベアラを設定する際に、前記サービス制御ネットワークが、該ビデオ通信の切り替え方法について決定する工程と、
前記移動伝達ネットワーク及び前記第１無線アクセスネットワーク内の無線基地局が、決定された前記切り替え方法に係る情報と前記ビデオベアラに係る情報と前記音声ベアラに係る情報とを関連付ける関連付け情報を保持する工程と、
前記第１移動局が、前記サービス制御ネットワークに対して、前記ビデオベアラを削除するように要求する工程と、
前記サービス制御ネットワークが、前記移動伝達ネットワークに対して、前記ビデオベアラを削除するように要求する工程と、
前記移動伝達ネットワークが、前記サービス制御ネットワークからの要求に応じて、前記関連付け情報から前記ビデオベアラに係る情報を削除し、前記無線基地局に対して、前記ビデオベアラを削除するように要求する工程と、
前記無線基地局が、前記移動伝達ネットワークからの要求に応じて、前記関連付け情報から前記ビデオベアラに係る情報を削除する工程とを有することを特徴とする移動通信方法。
【請求項２】
前記第１移動局が、前記サービス制御ネットワークに対して、前記ビデオベアラを追加するように要求する工程と、
前記サービス制御ネットワークが、前記移動伝達ネットワークに対して、前記ビデオベアラを追加するように要求する工程と、
前記移動伝達ネットワークが、前記サービス制御ネットワークからの要求に応じて、前記関連付け情報に前記ビデオベアラに係る情報を追加し、前記無線基地局に対して、前記ビデオベアラを追加するように要求する工程と、
前記無線基地局が、前記移動伝達ネットワークからの要求に応じて、前記関連付け情報に前記ビデオベアラに係る情報を追加する工程とを有することを特徴とする請求項１に記載の移動通信方法。
【請求項３】
前記切り替え方法に係る情報は、前記ビデオベアラ及び前記音声ベアラの両方を切断することなく切り替えること、該音声ベアラのみを切断することなく切り替えること、該ビデオベアラ及び該音声ベアラのいずれも切断することなく切り替えないことのいずれかを示すことを特徴とする請求項１又は２に記載の移動通信方法。
【発明の詳細な説明】
【技術分野】
【０００１】
本発明は、移動通信方法に関する。
【背景技術】
【０００２】
従来、２Ｇ/３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスネットワーク（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
３ＧＰＰのＴＳ２３.２１６において、ＵＥ（Ｕｓｅｒ  Ｅｑｕｉｐｍｅｎｔ）＃１とＵＥ＃２との間の音声通信（Ｖｏｉｃｅ  Ｃａｌｌ）用の経路を切断することなくＥ-ＵＴＲＡＮ/ＵＴＲＡＮを介した経路（ＶｏＩＰ（Ｖｏｉｃｅ  ｏｖｅｒ  ＩＰ）通信用の経路）からＵＴＲＡＮ/ＧＥＲＡＮを介した経路（回線交換（ＣＳ：Ｃｉｒｃｕｉｔ  Ｓｗｉｔｃｈ）通信用の経路）に切り替える「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）方式」について規定されている（非特許文献１参照）。
【０００４】
また、３ＧＰＰのＴＲ２３.８８６において、ＵＥ＃１とＵＥ＃２との間のビデオ通信（Ｖｉｄｅｏ  Ｃａｌｌ）用の経路を切断することなくＥ-ＵＴＲＡＮ/ＵＴＲＡＮを介した経路（ＶｏＩＰ通信用の経路）からＵＴＲＡＮを介した経路（ＣＳ通信用の経路）に切り替える「ｖＳＲＶＣＣ（Ｓｉｎｇｌｅ  Ｒａｄｉｏ  Ｖｉｄｅｏ  Ｃａｌｌ  Ｃｏｎｔｉｎｕｉｔｙ）方式」について規定されている（非特許文献２参照）。
【先行技術文献】
【非特許文献】
【０００５】
【非特許文献１】３ＧＰＰ  ＴＳ２３.２１６
【非特許文献２】３ＧＰＰ  ＴＲ２３.８８６
【発明の概要】
【発明が解決しようとする課題】
【０００６】
しかしながら、上述の移動通信システムでは、ＵＥ＃２との間でビデオ通信を行っているＵＥ＃１を、Ｅ-ＵＴＲＡＮからＵＴＲＡＮ/ＧＥＲＡＮにハンドオーバさせる際に、かかるビデオ通信の切り替え方法（例えば、かかるビデオ通信用の経路を構成するビデオベアラ及び音声ベアラの両方を切り替えるのか、かかるビデオ通信用の経路を構成する音声ベアラのみを切り替えるのか、或いは、かかるビデオ通信用の経路を構成するビデオベアラ及び音声ベアラの両方を切り替えないのか）を決定する仕組みが存在しないという問題点があった。
【０００７】
そこで、本発明は、上述の課題に鑑みてなされたものであり、ＵＥ＃２との間でビデオ通信を行っているＵＥ＃１を、Ｅ-ＵＴＲＡＮからＵＴＲＡＮ/ＧＥＲＡＮにハンドオーバさせる際に、かかるビデオ通信の切り替え方法を決定するための仕組みを提供することができる移動通信方法を提供することを目的とする。
【課題を解決するための手段】
【０００８】
本発明の第１の特徴は、回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、前記ビデオ通信用の経路を構成するビデオベアラ及び音声ベアラを設定する際に、前記サービス制御ネットワークが、該ビデオ通信の切り替え方法について決定する工程と、前記移動伝達ネットワーク及び前記第１無線アクセスネットワーク内の無線基地局が、決定された前記切り替え方法に係る情報と前記ビデオベアラに係る情報と前記音声ベアラに係る情報とを関連付ける関連付け情報を保持する工程と、前記第１移動局が、前記サービス制御ネットワークに対して、前記ビデオベアラを削除するように要求する工程と、前記サービス制御ネットワークが、前記移動伝達ネットワークに対して、前記ビデオベアラを削除するように要求する工程と、前記移動伝達ネットワークが、前記サービス制御ネットワークからの要求に応じて、前記関連付け情報から前記ビデオベアラに係る情報を削除し、前記無線基地局に対して、前記ビデオベアラを削除するように要求する工程と、前記無線基地局が、前記移動伝達ネットワークからの要求に応じて、前記関連付け情報から前記ビデオベアラに係る情報を削除する工程とを有することを要旨とする。
【発明の効果】
【０００９】
以上説明したように、本発明によれば、ＵＥ＃２との間でビデオ通信を行っているＵＥ＃１を、Ｅ-ＵＴＲＡＮからＵＴＲＡＮ/ＧＥＲＡＮにハンドオーバさせる際に、かかるビデオ通信の切り替え方法を決定するための仕組みを提供することができる移動通信方法を提供することができる。
【図面の簡単な説明】
【００１０】
【図１】本発明の第１の実施形態に係る移動通信システムの全体構成図である。
【図２】本発明の第１の実施形態に係る移動通信システムの全体構成図である。
【図３】本発明の第１の実施形態に係る移動通信システムの動作について説明するシーケンス図である。
【図４】本発明の第１の実施形態に係る移動通信システムの動作について説明するシーケンス図である。
【図５】本発明の第１の実施形態に係る移動通信システムの動作について説明するシーケンス図である。
【図６】本発明の第１の実施形態に係る移動通信システムの動作について説明するシーケンス図である。
【図７】本発明の第１の実施形態に係る移動通信システムの動作について説明するシーケンス図である。
【図８】本発明の第１の実施形態に係る移動通信システムの動作について説明するシーケンス図である。
【発明を実施するための形態】
【００１１】
（本発明の第１の実施形態に係る移動通信システム）
図１乃至図８を参照して、本発明の第１の実施形態に係る移動通信システムについて説明する。
【００１２】
本実施形態に係る移動通信システムでは、ｖＳＲＶＣＣ方式やｖＳＲＶＣＣ改善方式によって、ＵＥ＃１とＵＥ＃２との間のビデオ通信用の経路を切断することなくＥ-ＵＴＲＡＮ/ＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【００１３】
ここで、ｖＳＲＶＣＣ改善方式は、３ＧＰＰのＴＲ２３.２３７において規定されているＡＴＣＦ（Ａｃｃｅｓｓ  Ｔｒａｎｓｆｅｒ  Ｃｏｎｔｒｏｌ  Ｆｕｎｃｔｉｏｎ）やＡＴＧＷ（Ａｃｃｅｓｓ  Ｔｒａｎｓｆｅｒ  Ｇａｔｅｗａｙ）を利用して、ＵＥ＃１の在圏ネットワークにおいて切り替えを実施するＳＲＶＣＣ方式（以下、ＳＲＶＣＣ改善方式と呼ぶ）を、ｖＳＲＶＣＣ方式に応用する方式を示す。
【００１４】
図１は、ｖＳＲＶＣＣ方式を用いる場合の本実施形態に係る移動通信システムの構成を示し、図２は、ｖＳＲＶＣＣ改善方式を用いる場合の本実施形態に係る移動通信システムの構成を示す。
【００１５】
図１の例では、本実施形態に係る移動通信システムには、Ｅ-ＵＴＲＡＮと、ＵＴＲＡＮ/ＧＥＲＡＮとが収容されている。
【００１６】
具体的には、図１に示すように、本実施形態に係る移動通信システムは、ＵＥ＃１の在圏ネットワークにおいて、ｅＮＢ（無線基地局）や、ＲＮＣ（Ｒａｄｉｏ  Ｎｅｔｗｏｒｋ  Ｃｏｎｔｒｏｌｌｅｒ、無線回線制御局、不図示）や、ＮｏｄｅＢ/ＢＳＳ（無線基地局、不図示）や、ＭＭＥ（Ｍｏｂｉｌｉｔｙ  Ｍａｎａｇｅｍｅｎｔ  Ｅｎｔｉｔｙ、移動管理ノード）や、Ｓ-ＧＷ（Ｓｅｒｖｉｎｇ-Ｇａｔｅｗａｙ、サービングゲートウェイ装置）や、Ｐ-ＧＷ（ＰＤＮ-Ｇａｔｅｗａｙ、ＰＤＮゲートウェイ装置）や、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ、プロキシ用セッション制御装置）や、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＭＳＣサーバや、ＣＳ（Ｃｉｒｃｕｉｔ  Ｓｗｉｔｃｈ）-ＭＧＷ（Ｍｅｄｉａ  Ｇａｔｅｗａｙ）や、ＰＣＲＦ（Ｐｏｌｏｃｙ  ａｎｄ  Ｃｈａｒｇｉｎｇ  Ｒｕｌｅｓ  Ｆｕｎｃｔｉｏｎ、ポリシー及び課金ルール装置）や、ＯＣＳ（Ｏｎｌｉｎｅ  Ｃｈａｒｇｉｎｇ  Ｓｙｓｔｅｍ、オンライン課金システム）等を具備している。
【００１７】
また、本実施形態に係る移動通信システムは、ＩＭＳ（ＩＰ  Ｍｕｌｔｉｍｅｄｉａ  Ｓｕｂｓｙｓｔｅｍ）において、ＳＣＣ  ＡＳや、Ｉ/Ｓ-ＣＳＣＦ等を具備している。
【００１８】
一方、図２の例では、本実施形態に係る移動通信システムは、図１に示す本実施形態に係る移動通信システムの構成に加えて、ＡＴＣＦ（Ａｃｃｅｓｓ  Ｔｒａｎｓｆｅｒ  Ｃｏｎｔｒｏｌ  Ｆｕｎｃｔｉｏｎ）や、ＡＴＧＷ（Ａｃｃｅｓｓ  Ｔｒａｎｓｆｅｒ  Ｇａｔｅｗａｙ）等を具備している。
【００１９】
ＡＴＣＦやＡＴＧＷは、３ＧＰＰのＴＳ２３.２３７に、ＳＲＶＣＣ改善方式用の装置として規定されている装置であり、本発明にも同様に適用可能である。すなわち、ｖＳＲＶＣＣ改善方式では、ＡＴＧＷが、上述の切り替えを行うように構成されているアンカーノードであり、ＡＴＣＦが、ＡＴＧＷを制御するように構成されている制御装置である。
【００２０】
以下、図３乃至図８を参照して、本実施形態に係る移動通信システムの動作について説明する。
【００２１】
第１に、図３乃至図６を参照して、本実施形態に係る移動通信システムにおけるＵＥ＃１によるＩＭＳを介したＵＥ＃２との間のビデオ通信の発信手順について説明する。
【００２２】
なお、図３に示す手順は、３ＧＰＰのＴＳ２３.２２８やＴＳ２３.２３７に規定されている手順を簡素化したものであり、記述の無い部分は、３ＧＰＰのＴＳ２３.２２８やＴＳ２３.２３７に規定されている手順に準拠するものとする。
【００２３】
図３に示すように、ステップＳ１０１において、ＵＥ＃１は、ユーザによるビデオ通信の発信操作に応じて、Ｐ-ＣＳＣＦ（或いは、ＡＴＣＦ、以下同様）に対して、「Ｉｎｖｉｔｅ（Ｉｎｉｔｉａｌ  ＳＤＰ  Ｏｆｆｅｒ）」を送信する。
【００２４】
ステップＳ１０２において、Ｐ-ＣＳＣＦは、ＩＭＳ内のＳ-ＣＳＣＦに対して、「Ｉｎｖｉｔｅ（Ｉｎｉｔｉａｌ  ＳＤＰ  Ｏｆｆｅｒ）」を送信する。
【００２５】
ステップ１０３において、Ｓ-ＣＳＣＦは、ＩＭＳ内のＳＣＣ-ＡＳに対して、「Ｉｎｖｉｔｅ（Ｉｎｉｔｉａｌ  ＳＤＰ  Ｏｆｆｅｒ）」を送信し、ステップＳ１０４において、ＳＣＣ-ＡＳは、Ｓ-ＣＳＣＦに対して、「Ｉｎｖｉｔｅ（Ｉｎｉｔｉａｌ  ＳＤＰ  Ｏｆｆｅｒ）」を送信し、ステップＳ１０５において、Ｓ-ＣＳＣＦは、ＵＥ＃２に対して、「Ｉｎｖｉｔｅ（Ｉｎｉｔｉａｌ  ＳＤＰ  Ｏｆｆｅｒ）」を送信し、ステップＳ１０６において、ＵＥ＃２は、ＳＣＣ-ＡＳを介して、Ｓ-ＣＳＣＦに対して、「Ｏｆｆｅｒ  Ｒｅｓｐｏｎｓｅ」を送信する。
【００２６】
ここで、ステップＳ１０３乃至Ｓ１０６のいずれかのタイミングで、ＳＣＣ-ＡＳ或いはＳ-ＣＳＣＦが、かかるビデオ通信の切り替え方法について決定する。
【００２７】
具体的には、ＳＣＣ-ＡＳ或いはＳ-ＣＳＣＦは、かかるビデオ通信の切り替え方法として、かかるビデオ通信用の経路を構成するビデオベアラ及び音声ベアラの両方を切断することなく切り替えると決定するか、かかるビデオ通信用の経路を構成する音声ベアラのみを切断することなく切り替えると決定するか、或いは、かかるビデオ通信用の経路を構成するビデオベアラ及び音声ベアラのいずれも切り替えない（すなわち、ｖＳＲＶＣＣ方式の処理を適用しない）と決定してもよい。
【００２８】
また、ＳＣＣ-ＡＳ或いはＳ-ＣＳＣＦは、ＵＥ＃１に係る加入者プロファイルや、ＵＥ＃１のホームネットワークの能力（回線交換通信におけるビデオ通信の提供の可否について示す情報を含む）や、ＵＥ＃１の在圏ネットワークの能力（回線交換通信におけるビデオ通信の提供の可否について示す情報を含む）や、ＵＥ＃１の能力（例えば、回線交換通信でビデオ通信を行うことが可能であるか否かや、ｖＳＲＶＣＣ方式に対応しているか否か等）や、ローミング協定情報や、オペレータポリシー等に基づいて、かかるビデオ通信の切り替え方法を決定してもよい。
【００２９】
ステップ１０７において、Ｓ-ＣＳＣＦは、Ｐ-ＣＳＣＦに対して、第１ｖＳＲＶＣＣ情報を含む「Ｏｆｆｅｒ  Ｒｅｓｐｏｎｓｅ」を送信する。
【００３０】
ここで、第１ｖＳＲＶＣＣ情報は、「アプリケーション種別」や、「メディア情報」や、「ｖＳＲＶＣＣ対象有無」を含む。なお、「ｖＳＲＶＣＣ対象有無」は、「Ｏｆｆｅｒ  Ｒｅｓｐｏｎｓｅ」に含まれなくてもよい。かかる場合、ＰＣＲＦが、Ｐ-ＣＳＣＦから第１ｖＳＲＶＣＣ情報を受信した際に、「ｖＳＲＶＣＣ対象有無」を判断してもよい。
【００３１】
「アプリケーション種別」は、かかる発信手順に係る通信に用いられるアプリケーションの種別を示す情報であり、「メディア情報」は、かかる発信手順に係る通信の種別（ビデオ通信や音声通信を示す情報や、ＳＤＰに含まれる情報等）を示す情報であり、「ｖＳＲＶＣＣ対象有無」は、かかる発信手順に係る通信用の経路を構成する各ベアラについてｖＳＲＶＣＣ方式による切り替えの対象であるか否かについて示す情報である。
【００３２】
また、Ｓ-ＣＳＣＦは、Ｐ-ＣＳＣＦに対して、「ビデオ通信の切り替え方法」を合わせて通知してもよい。
【００３３】
ステップＳ１０９において、Ｐ-ＣＳＣＦは、ＵＥ＃１に対して、「Ｏｆｆｅｒ  Ｒｅｓｐｏｎｓｅ」を送信し、ステップＳ１１０において、ＵＥ＃１は、Ｐ-ＣＳＣＦに対して、「Ｒｅｓｐｏｎｓｅ  Ｃｏｎｆ（Ｏｐｔ  ＳＤＰ）」を送信する。
【００３４】
なお、かかるビデオ通信用の経路を構成するビデオベアラ及び音声ベアラのリソースを確保するための処理は、ステップＳ１０８或いはステップＳ１１１において行われる。
【００３５】
以降、３ＧＰＰのＴＳ２３.２２８、ＴＳ２３.２３７、ＴＳ２３.２０３及びＴＳ２３.４０１に規定されている発信手順を継続する。
【００３６】
以下、図４及び図６を参照して、ステップＳ１０８において行われるビデオベアラ及び音声ベアラのリソースを確保するための処理（３ＧＰＰのＴＳ２３.２０３参照）について説明し、図５及び図６を参照して、ステップＳ１１０において行われるビデオベアラ及び音声ベアラのリソースを確保するための処理（３ＧＰＰのＴＳ２３.４０１参照）について説明する。
【００３７】
図４に示すように、Ｐ-ＣＳＣＦは、ステップ１０７において、Ｓ-ＣＳＣＦから、第１ｖＳＲＶＣＣ情報を含む「Ｏｆｆｅｒ  Ｒｅｓｐｏｎｓｅ」を受信すると、ステップＳ１０８ａにおいて、ＰＣＲＦに対して、第１ｖＳＲＶＣＣ情報を含む「Ａｐｐｌｉｃａｔｉｏｎ/Ｓｅｒｖｉｃｅ  Ｉｎｆｏ」を送信する。
【００３８】
ＰＣＲＦは、ステップＳ１０８ｂにおいて、Ｐ-ＣＳＣＦに対して、「Ａｃｋ」を送信し、ステップＳ１０８ｃにおいて、かかるビデオ通信に係るポリシーを決定し、ステップＳ１０８ｅにおいて、Ｐ-ＧＷに対して、第２ｖＳＲＶＣＣ情報を含む「Ｐｏｌｉｃｙ  ａｎｄ  Ｃｈａｒｇｉｎｇ  Ｒｕｌｅｓ  Ｐｒｏｖｉｓｉｏｎ」を送信する。
【００３９】
ここで、第２ｖＳＲＶＣＣ情報は、上述の「メディア情報（ＱｏＳ  Ｒｕｌｅ、ＱｏＳ  Ｉｎｆｏｒｍａｔｉｏｎ等）」や「ｖＳＲＶＣＣ対象有無」を含む。また、第２ｖＳＲＶＣＣ情報は、上述のビデオ通信の切り替え方法に係る情報を含んでいてもよい。
【００４０】
「ｖＳＲＶＣＣ対象有無」が、第１ｖＳＲＶＣＣ情報に設定されていない場合、ＰＣＲＦは、第１ｖＳＲＶＣＣ情報に設定された「アプリケーション種別」や「メディア情報」等から、ｖＳＲＶＣＣ方式による切り替えの対象であるか否かについて判定してもよい。
【００４１】
ステップＳ１０８ｄにおいて、Ｇａｔｅｗａｙ  Ｃｏｎｔｒｏｌ処理及びＱｏＳ  Ｒｕｌｅｓ  Ｐｒｏｖｉｓｉｏｎ処理が行われる。ここで、ＰＭＩＰ（Ｐｒｏｘｙ  Ｍｏｂｉｌｅ  ＩＰ）が用いられている場合、これらの処理によって、ＰＣＲＦは、ｅＮＢに対して、上述の第２ｖＳＲＶＣＣ情報を通知することができる。なお、本処理は、ステップＳ１０８ｋの処理の後に実施されてもよい。
【００４２】
Ｐ-ＧＷは、ステップＳ１０８ｅにおいて、Ｐｏｌｉｃｙ  Ｅｎｆｏｒｃｅｍｅｎｔ処理を行い、ステップＳ１０８ｇにおいて、ＯＣＳに対して、「Ｃｒｅｄｉｔ  Ｒｅｑｕｅｓｔ」を送信する。
【００４３】
ステップＳ１０８ｈにおいて、ＯＣＳは、Ｐ-ＧＷに対して、「Ｃｒｅｄｉｔ  Ｒｅｓｐｏｎｓｅ」を送信し、ステップＳ１０８ｉにおいて、Ｐ-ＧＷは、Ｓ-ＧＷに対して、第３ｖＳＲＶＣＣ情報を含む「Ｃｒｅａｔｅ  Ｂｅａｒｅｒ  Ｒｅｑｕｅｓｔ」を送信する。
【００４４】
ここで、第３ｖＳＲＶＣＣ情報は、「ベアラコンテキスト関連付け情報」や、上述の「ｖＳＲＶＣＣ対象有無」を含む。
【００４５】
「ベアラコンテキスト関連付け情報」は、かかる発信手順に係る通信用の経路を構成し、本信号によりネットワーク内への設定要求を行うベアラに関する関連付け情報（例えば、ベアラコンテキストＡ及びベアラコンテキストＢが連携していることを示す情報や、「ＱＣＩ（ＱｏＳ  Ｃｌａｓｓ  Ｉｄｅｎｔｉｆｉｅｒ）＝１」と「ＱＣＩ＝２」とが連携していることを示す情報等）を示す情報である。
【００４６】
また、第３ｖＳＲＶＣＣ情報は、上述のビデオ通信の切り替え方法に係る情報を含んでいてもよい。
【００４７】
Ｓ-ＧＷは、ステップＳ１０８ｉにおいて、Ｐ-ＧＷから、第３ｖＳＲＶＣＣ情報を含む「Ｃｒｅａｔｅ  Ｂｅａｒｅｒ  Ｒｅｑｕｅｓｔ」を受信すると、図６に示すように、ステップＳ１２３において、ＭＭＥに対して、第３ｖＳＲＶＣＣ情報を含む「Ｃｒｅａｔｅ  Ｂｅａｒｅｒ  Ｒｅｑｕｅｓｔ」を送信する。
【００４８】
ＭＭＥは、ステップＳ１２４において、上述のビデオ通信の切り替え方法に係る情報とビデオベアラを示す「ベアラ識別子」と音声ベアラを示す「ベアラ識別子」とを関連付ける関連付け情報を保持し、ステップＳ１２５において、ｅＮＢに対して、第４ｖＳＲＶＣＣ情報を含む「Ｂｅａｒｅｒ  Ｓｅｔｕｐ  Ｒｅｑｕｅｓｔ」（「Ｓｅｓｓｉｏｎ  Ｍａｎａｇｅｍｅｎｔ  Ｒｅｑｕｅｓｔ」を含む）を送信する。
【００４９】
ここで、第４ｖＳＲＶＣＣ情報は、かかる発信手順に係る通信用の経路を構成し、上述の「Ｃｒｅａｔｅ  Ｂｅａｒｅｒ  Ｒｅｑｕｅｓｔ」により、ＭＭＥにて割り当てられた各ベアラの情報を示す「ベアラ識別子（音声ベアラを示すベアラ識別子及びビデオベアラを示すベアラ識別子）」や、音声ベアラを示す「ベアラ識別子」とビデオベアラを示す「ベアラ識別子」とを関連付ける関係付け情報や、上述の「ｖＳＲＶＣＣ対象有無」を含む。
【００５０】
また、第４ｖＳＲＶＣＣ情報は、上述のビデオ通信の切り替え方法に係る情報を含んでいてもよい。
【００５１】
なお、ＵＥ＃１が「ＩＤＬＥ状態」である場合には「Ｓｅｓｓｉｏｎ  Ｍａｎａｇｅｍｅｎｔ  Ｒｅｑｕｅｓｔ」として「Ｉｎｉｔｉａｌ  Ｃｏｔｅｘｔ  Ｓｅｔｕｐ  Ｒｅｑｕｅｓｔ」が用いられ、ＵＥ＃１が「ＡＣＴＩＶＥ状態」である場合には「Ｓｅｓｓｉｏｎ  Ｍａｎａｇｅｍｅｎｔ  Ｒｅｑｕｅｓｔ」として「Ｅ-ＲＡＢ  Ｓｅｔｕｐ  Ｒｅｑｕｅｓｔ」が用いられる。また、「Ｓｅｓｓｉｏｎ  Ｍａｎａｇｅｍｅｎｔ  Ｒｅｑｕｅｓｔ」として、その他の信号が用いられてもよい。
【００５２】
ｅＮＢは、ステップＳ１２６において、上述のビデオ通信の切り替え方法に係る情報とビデオベアラを示す「ベアラ識別子」と音声ベアラを示す「ベアラ識別子」とを関連付ける関連付け情報を保持し、ステップＳ１２７において、ＵＥ＃１に対して、「ＲＲＣ  Ｃｏｎｎｅｃｔｉｏｎ  Ｒｅｃｏｎｆｉｇｕｒａｔｉｏｎ」を送信する。
【００５３】
なお、ＭＭＥ及びｅＮＢは、上述の「ｖＳＲＶＣＣ対象有無」の代わりに、ビデオベアラを示す「ベアラ識別子」と音声ベアラを示す「ベアラ識別子」とを関連付ける関連付け情報に基づいて、各ベアラについてｖＳＲＶＣＣ方式による切り替えの対象であるか否かについて判断してもよい。
【００５４】
ステップＳ１２８において、ＵＥ＃１は、ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ１２９において、ｅＮＢは、ＭＭＥに対して、「Ｂｅａｒｅｒ  Ｓｅｔｕｐ  Ｒｅｓｐｏｎｓｅ」を送信する。
【００５５】
ステップＳ１３０において、ＵＥ＃１は、ｅＮＢに対して、「Ｄｉｒｅｃｔ  Ｔｒａｎｓｆｅｒ」を送信し、ステップＳ１３１において、ｅＮＢは、ＭＭＥに対して、「Ｓｅｓｓｉｏｎ  Ｍａｎａｇｅｍｅｎｔ  Ｒｅｓｐｏｎｓｅ」を送信する。
【００５６】
ステップＳ１３２において、ＭＭＥは、Ｓ-ＧＷに対して、「Ｃｒｅａｔｅ  Ｂｅａｒｅｒ  Ｒｅｓｐｏｎｓｅ」を送信し、図４に示すように、ステップＳ１０８ｊにおいて、Ｓ-ＧＷは、Ｐ-ＧＷに対して、「Ｃｒｅａｔｅ  Ｂｅａｒｅｒ  Ｒｅｓｐｏｎｓｅ」を送信する。
【００５７】
ステップＳ１０８ｋにおいて、Ｐ-ＧＷは、ＰＣＲＦに対して、「Ａｃｋ」を送信し、ステップＳ１０８ｌにおいて、ＰＣＲＦは、Ｐ-ＣＳＣＦに対して、「Ｎｏｔｉｆｉｃａｔｉｏｎ  ｏｆ  Ｂｅａｒｅｒ  Ｌｅｖｅｌ  Ｅｖｅｎｔ」を送信し、ステップＳ１０８ｍにおいて、Ｐ-ＣＳＣＦは、ＰＣＲＦに対して、「Ａｃｋ」を送信する。
【００５８】
一方、ステップＳ１１１においてビデオベアラ及び音声ベアラのリソースを確保するための処理が行われる場合、図５に示すように、ステップＳ１１１ａにおいて、ＵＥ＃１は、ＭＭＥに対して、「Ｒｅｑｕｅｓｔ  Ｂｅａｒｅｒ  Ｒｅｓｏｕｒｃｅ  Ｍｏｄｉｆｉｃａｔｉｏｎ」を送信する。
【００５９】
ステップＳ１１１ｂにおいて、ＭＭＥは、Ｓ-ＧＷに対して、「Ｂｅａｒｅｒ  Ｒｅｓｏｕｒｃｅ  Ｃｏｍｍａｎｄ」を送信し、ステップＳ１１１ｃにおいて、Ｓ-ＧＷは、Ｐ-ＧＷに対して、「Ｂｅａｒｅｒ  Ｒｅｓｏｕｒｃｅ  Ｃｏｍｍａｎｄ」を送信する。
【００６０】
ステップＳ１１１ｄにおいて、「ＰＣＥＦ  Ｉｎｉｔｉａｔｅｄ  ＩＰ-ＣＡＮ（ＩＰ  Ｃｏｎｎｅｃｔｉｖｉｔｙ  Ａｃｃｅｓｓ  Ｎｅｔｗｏｒｋ）  Ｓｅｓｓｉｏｎ  Ｍｏｄｉｆｉｃａｔｉｏｎ処理」が開始される。
【００６１】
ステップＳ１１１ｅにおいて、図６に示すステップＳ１０８ｉ乃至Ｓ１０８ｊの動作が行われる。
【００６２】
ステップＳ１１１ｆにおいて、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ処理」が終了する。
【００６３】
かかる動作によれば、ＵＥ＃１によるＩＭＳを介したＵＥ＃２との間のビデオ通信の発信手順において、ＭＭＥ及びｅＮＢが、かかるビデオ通信の切り替え方法に係る情報とビデオベアラを示す「ベアラ識別子」と音声ベアラを示す「ベアラ識別子」とを関連付ける関連付け情報を保持することができるため、かかる関連付けを用いて、ＵＥ＃２との間でビデオ通信を行っているＵＥ＃１のＥ-ＵＴＲＡＮからＵＴＲＡＮ/ＧＥＲＡＮへのハンドオーバにおいて、ビデオベアラ及び音声ベアラの両方を切り替えるか、音声ベアラのみを切り替えるか、或いは、ビデオベアラ及び音声ベアラの両方を切り替えないかについて決定することができる。
【００６４】
第２に、図７を参照して、本実施形態に係る移動通信システムにおけるＵＥ＃１によるＩＭＳを介したＵＥ＃２との間のビデオ通信において、ビデオベアラを削除する手順について説明する。
【００６５】
すなわち、図７の例は、ＵＥ＃１とＵＥ＃２との間でビデオ通信が行われている状態から、ＵＥ＃１とＵＥ＃２との間で音声通信が行われる状態に変更するケースを示す。
【００６６】
図７に示すように、ステップＳ２０１において、ＵＥ＃１は、ユーザによるビデオベアラの削除操作に応じて、Ｐ-ＣＳＣＦを介して、ＩＭＳに対して、ビデオベアラの削除を要求するためのメディア削除を示す情報を含む「Ｉｎｖｉｔｅ」を送信する。
【００６７】
ＩＭＳは、ステップＳ２０２において、ＩＰ-ＣＡＮにおけるビデオベアラの削除処理を開始し、ステップＳ２０３において、ＰＣＲＦに対して、第１ｖＳＲＶＣＣ情報を含む「Ａｐｐｌｉｃａｔｉｏｎ/Ｓｅｒｖｉｃｅ  Ｉｎｆｏ」を送信することによって、上述のビデオベアラを削除するように要求する。
【００６８】
ステップＳ２０４において、ＰＣＲＦは、Ｐ-ＧＷに対して、第２ｖＳＲＶＣＣ情報を含む「Ｐｏｌｉｃｙ  ａｎｄ  Ｃｈａｒｇｉｎｇ  Ｒｕｌｅｓ  Ｐｒｏｖｉｓｉｏｎ」を送信することによって、上述のビデオベアラを削除するように要求する。
【００６９】
ステップＳ２０５において、Ｐ-ＧＷは、Ｓ-ＧＷに対して、第３ｖＳＲＶＣＣ情報を含む「Ｄｅｌｅｔｅ  Ｂｅａｒｅｒ  Ｒｅｑｕｅｓｔ」を送信し、ステップＳ２０６において、Ｓ-ＧＷは、ＭＭＥに対して、第３ｖＳＲＶＣＣ情報を含む「Ｄｅｌｅｔｅ  Ｂｅａｒｅｒ  Ｒｅｑｕｅｓｔ」を送信する。
【００７０】
ＭＭＥは、ステップＳ２０７において、保存している関連付け情報からビデオベアラに係る情報を削除する。これにより、ビデオ通信の切り替え方法に係る情報とビデオベアラを示す「ベアラ識別子」と音声ベアラを示す「ベアラ識別子」とを関連付ける関連付け情報が削除される。
【００７１】
ステップＳ２０８において、ｅＮＢに対して、第４ｖＳＲＶＣＣ情報を含む「Ｂｅａｒｅｒ  Ｒｅｌｅａｓｅ  Ｒｅｑｕｅｓｔ」（「Ｓｅｓｓｉｏｎ  Ｍａｎａｇｅｍｅｎｔ  Ｒｅｑｕｅｓｔ」を含む）を送信する。
【００７２】
なお、「Ｓｅｓｓｉｏｎ  Ｍａｎａｇｅｍｅｎｔ  Ｒｅｑｕｅｓｔ」として「Ｅ-ＲＡＢ  Ｒｅｌｅａｓｅ  Ｃｏｍｍａｎｄ」又は「Ｅ-ＲＡＢ  Ｍｏｄｉｆｙ  Ｒｅｑｕｅｓｔ」等が用いられる。
【００７３】
ｅＮＢは、ステップＳ２０９において、保存しているビデオ通信の切り替え方法に係る情報とビデオベアラを示す「ベアラ識別子」と音声ベアラを示す「ベアラ識別子」とを関連付ける関連付け情報を削除し、ステップＳ２１０において、ＵＥ＃１に対して、「ＲＲＣ  Ｃｏｎｎｅｃｔｉｏｎ  Ｒｅｃｏｎｆｉｇｕｒａｔｉｏｎ」を送信する。
【００７４】
ステップＳ２１１において、ＵＥ＃１は、ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ２１２において、ｅＮＢは、ＭＭＥに対して、「Ｂｅａｒｅｒ  Ｒｅｌｅａｓｅ  Ｒｅｓｐｏｎｓｅ」を送信する。
【００７５】
ステップＳ２１３において、ＵＥ＃１は、ｅＮＢに対して、「Ｄｉｒｅｃｔ  Ｔｒａｎｓｆｅｒ」を送信し、ステップＳ２１４において、ｅＮＢは、ＭＭＥに対して、「Ｓｅｓｓｉｏｎ  Ｍａｎａｇｅｍｅｎｔ  Ｒｅｓｐｏｎｓｅ」を送信する。
【００７６】
ステップＳ２１５において、ＭＭＥは、Ｓ-ＧＷに対して、「Ｄｅｌｅｔｅ  Ｂｅａｒｅｒ  Ｒｅｓｐｏｎｓｅ」を送信し、ステップＳ２１６において、Ｓ-ＧＷは、Ｐ-ＧＷに対して、「Ｄｅｌｅｔｅ  Ｂｅａｒｅｒ  Ｒｅｓｐｏｎｓｅ」を送信する。
【００７７】
ステップＳ２１７において、Ｐ-ＧＷは、ＰＣＲＦに対して、「Ａｃｋ」を送信する。
【００７８】
かかる動作によれば、ＵＥ＃１とＵＥ＃２との間でビデオ通信が行われている状態から、ＵＥ＃１とＵＥ＃２との間で音声通信が行われる状態に変更する際に、ｅＮＢ及びＭＭＥにおいて保存されている関連付け情報を更新することができる。
【００７９】
第３に、図８を参照して、本実施形態に係る移動通信システムにおけるＵＥ＃１によるＩＭＳを介したＵＥ＃２との間の音声通信において、ビデオベアラを追加する手順について説明する。
【００８０】
すなわち、図８の例は、ＵＥ＃１とＵＥ＃２との間で音声通信が行われている状態から、ＵＥ＃１とＵＥ＃２との間でビデオ通信が行われる状態に変更するケースを示す。
【００８１】
図８に示すように、ステップＳ３０１において、ＵＥ＃１は、ユーザによるビデオベアラの追加操作に応じて、Ｐ-ＣＳＣＦを介して、ＩＭＳに対して、ビデオベアラの追加を要求するためのメディア追加を示す情報を含む「Ｉｎｖｉｔｅ」を送信する。
【００８２】
ＩＭＳは、ステップＳ３０２において、ＩＰ-ＣＡＮにおけるビデオベアラの追加処理を開始し、ステップＳ３０３において、ＰＣＲＦに対して、第１ｖＳＲＶＣＣ情報を含む「Ａｐｐｌｉｃａｔｉｏｎ/Ｓｅｒｖｉｃｅ  Ｉｎｆｏ」を送信することによって、上述のビデオベアラを追加するように要求する。
【００８３】
ステップＳ３０４において、ＰＣＲＦは、Ｐ-ＧＷに対して、第２ｖＳＲＶＣＣ情報を含む「Ｐｏｌｉｃｙ  ａｎｄ  Ｃｈａｒｇｉｎｇ  Ｒｕｌｅｓ  Ｐｒｏｖｉｓｉｏｎ」を送信することによって、上述のビデオベアラを追加するように要求する。
【００８４】
ステップＳ３０５において、Ｐ-ＧＷは、Ｓ-ＧＷに対して、第３ｖＳＲＶＣＣ情報を含む「Ｃｒｅａｔｅ  Ｂｅａｒｅｒ  Ｒｅｑｕｅｓｔ」を送信し、ステップＳ３０６において、Ｓ-ＧＷは、ＭＭＥに対して、第３ｖＳＲＶＣＣ情報を含む「Ｃｒｅａｔｅ  Ｂｅａｒｅｒ  Ｒｅｑｕｅｓｔ」を送信する。
【００８５】
かかる「Ｃｒｅａｔｅ  Ｂｅａｒｅｒ  Ｒｅｑｕｅｓｔ」において、ビデオベアラが追加される対象となる音声ベアラのコンテキストを含む「ベアラコンテキスト関連付け情報」が含まれる。
【００８６】
ＭＭＥは、ステップＳ３０７において、ビデオベアラのコンテキストを作成し、割り当てたビデオベアラに係る情報と、ビデオベアラの追加対象である音声ベアラに係る情報とを関連付ける関係付け情報を保持する。
【００８７】
そして、ＭＭＥは、ステップＳ３０８において、ｅＮＢに対して、第４ｖＳＲＶＣＣ情報を含む「Ｂｅａｒｅｒ  Ｓｅｔｕｐ  Ｒｅｑｕｅｓｔ」（「Ｓｅｓｓｉｏｎ  Ｍａｎａｇｅｍｅｎｔ  Ｒｅｑｕｅｓｔ」を含む）を送信する。
【００８８】
なお、「Ｓｅｓｓｉｏｎ  Ｍａｎａｇｅｍｅｎｔ  Ｒｅｑｕｅｓｔ」として「Ｅ-ＲＡＢ  Ｓｅｔｕｐ  Ｒｅｑｕｅｓｔ」又は「Ｅ-ＲＡＢ  Ｍｏｄｉｆｙ  Ｒｅｑｕｅｓｔ」等が用いられる。
【００８９】
ｅＮＢは、ステップＳ３０９において、受信した関連付け情報を保持し、ステップＳ３１０において、ＵＥ＃１に対して、「ＲＲＣ  Ｃｏｎｎｅｃｔｉｏｎ  Ｒｅｃｏｎｆｉｇｕｒａｔｉｏｎ」を送信する。
【００９０】
ステップＳ３１１において、ＵＥ＃１は、ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信し、ステップＳ３１２において、ｅＮＢは、ＭＭＥに対して、「Ｂｅａｒｅｒ  Ｓｅｔｕｐ  Ｒｅｓｐｏｎｓｅ」を送信する。
【００９１】
ステップＳ３１３において、ＵＥ＃１は、ｅＮＢに対して、「Ｄｉｒｅｃｔ  Ｔｒａｎｓｆｅｒ」を送信し、ステップＳ３１４において、ｅＮＢは、ＭＭＥに対して、「Ｓｅｓｓｉｏｎ  Ｍａｎａｇｅｍｅｎｔ  Ｒｅｓｐｏｎｓｅ」を送信する。
【００９２】
ステップＳ３１５において、ＭＭＥは、Ｓ-ＧＷに対して、「Ｃｒｅａｔｅ  Ｂｅａｒｅｒ  Ｒｅｓｐｏｎｓｅ」を送信し、ステップＳ３１６において、Ｓ-ＧＷは、Ｐ-ＧＷに対して、「Ｃｒｅａｔｅ  Ｂｅａｒｅｒ  Ｒｅｓｐｏｎｓｅ」を送信する。
【００９３】
ステップＳ３１７において、Ｐ-ＧＷは、ＰＣＲＦに対して、「Ａｃｋ」を送信する。
【００９４】
かかる動作によれば、ＵＥ＃１とＵＥ＃２との間で音声通信が行われている状態から、ＵＥ＃１とＵＥ＃２との間でビデオ通信が行われる状態に変更する際に、ｅＮＢ及びＭＭＥにおいて保存されている関連付け情報を更新することができる。
【００９５】
以上に述べた本実施形態の特徴は、以下のように表現されていてもよい。
【００９６】
本実施形態の第１の特徴は、Ｅ-ＵＴＲＡＮ（回線交換通信をサポートしていない第１無線アクセスネットワーク）と、Ｅ-ＵＴＲＡＮを収容する移動伝達ネットワークと、ＵＴＲＡＮ/ＧＥＲＡＮ（回線交換通信をサポートしている第２無線アクセスネットワーク）と、ＩＭＳ（サービス制御ネットワーク）とを具備しており、ｖＳＲＶＣＣ方式又はｖＳＲＶＣＣ改善方式を用いてＵＥ＃１（第１移動局）とＵＥ＃２（第２移動局）との間で行われるビデオ通信用の経路を切断することなくＥ-ＵＴＲＡＮを介した経路からＵＴＲＡＮ/ＧＥＲＡＮを介した経路に切り替えることができる移動通信システムにおける移動通信方法であって、ビデオ通信用の経路を構成するビデオベアラ及び音声ベアラを設定する際に、ＩＭＳが、かかるビデオ通信の切り替え方法について決定する工程と、移動伝達ネットワーク及びｅＮＢ（第１無線アクセスネットワーク内の無線基地局）が、決定された切り替え方法に係る情報とビデオベアラに係る情報と音声ベアラに係る情報とを関連付ける関連付け情報を保持する工程と、ＵＥ＃１が、ＩＭＳに対して、ビデオベアラを削除するように要求する工程と、ＩＭＳが、移動伝達ネットワークに対して、ビデオベアラを削除するように要求する工程と、移動伝達ネットワークが、ＩＭＳからの要求に応じて、関連付け情報からビデオベアラに係る情報を削除し、ｅＮＢに対して、ビデオベアラを削除するように要求する工程と、ｅＮＢが、移動伝達ネットワークからの要求に応じて、関連付け情報からビデオベアラに係る情報を削除する工程とを有することを要旨とする。
【００９７】
本実施形態の第１の特徴において、ＵＥ＃１が、ＩＭＳに対して、ビデオベアラを追加するように要求する工程と、ＩＭＳが、移動伝達ネットワークに対して、前記ビデオベアラを追加するように要求する工程と、移動伝達ネットワークが、ＩＭＳからの要求に応じて、関連付け情報にビデオベアラに係る情報を追加し、ｅＮＢに対して、ビデオベアラを追加するように要求する工程と、ｅＮＢが、移動伝達ネットワークからの要求に応じて、関連付け情報にビデオベアラに係る情報を追加する工程とを有してもよい。
【００９８】
本実施形態の第１の特徴において、切り替え方法に係る情報は、ビデオベアラ及び音声ベアラの両方を切断することなく切り替えること、音声ベアラのみを切断することなく切り替えること、ビデオベアラ及び音声ベアラのいずれも切断することなく切り替えないことのいずれかを示してもよい。
【００９９】
なお、上述のＭＳＣサーバ、ＣＳ-ＭＧＷ、ＭＭＥ、ＳＧＳＮ、Ｓ-ＧＷ、Ｐ-ＧＷ、Ｐ-ＣＳＣＦ、Ｉ/Ｓ-ＣＳＣＦ、ＳＣＣ  ＡＳ、ＡＴＣＦ、ＡＴＧＷ、ＨＳＳ、ＭＳＣ、ＵＥ＃１、ＵＥ＃２、ｅＮＢの動作は、ハードウェアによって実施されてもよいし、プロセッサによって実行されるソフトウェアモジュールによって実施されてもよいし、両者の組み合わせによって実施されてもよい。
【０１００】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ、ＣＳ-ＭＧＷ、ＭＭＥ、ＳＧＳＮ、Ｓ-ＧＷ、Ｐ-ＧＷ、Ｐ-ＣＳＣＦ、Ｉ/Ｓ-ＣＳＣＦ、ＳＣＣ  ＡＳ、ＡＴＣＦ、ＡＴＧＷ、ＨＳＳ、ＭＳＣ、ＵＥ＃１、ＵＥ＃２、ｅＮＢ内に設けられていてもよい。また、かかる記憶媒体及びプロセッサは、ディスクリートコンポーネントとしてＭＳＣサーバ、ＣＳ-ＭＧＷ、ＭＭＥ、ＳＧＳＮ、Ｓ-ＧＷ、Ｐ-ＧＷ、Ｐ-ＣＳＣＦ、Ｉ/Ｓ-ＣＳＣＦ、ＳＣＣ  ＡＳ、ＡＴＣＦ、ＡＴＧＷ、ＨＳＳ、ＭＳＣ、ＵＥ＃１、ＵＥ＃２、ｅＮＢ内に設けられていてもよい。
【０１０２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０３】
ＵＥ＃１、ＵＥ＃２…移動局
ｅＮＢ…無線基地局
ＭＭＥ…移動管理ノード
ＳＧＳＮ…パケット交換機
ＭＳＣ…回線交換機
Ｓ-ＧＷ、Ｐ-ＧＷ…ゲートウェイ装置
【図１】
2012165201.tif 000003
【図２】
2012165201.tif 000004
【図３】
2012165201.tif 000005
【図４】
2012165201.tif 000006
【図５】
2012165201.tif 000007
【図６】
2012165201.tif 000008
【図７】
2012165201.tif 000009
【図８】
2012165201.tif 000010
【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、
前記ビデオ通信用の経路を構成するビデオベアラ及び音声ベアラを設定する場合に、前記サービス制御ネットワークが、該ビデオ通信の切り替え方法について決定する工程と、
前記移動伝達ネットワークが、決定された前記切り替え方法に係る情報と前記ビデオベアラに係る情報と前記音声ベアラに係る情報とを保持する工程と、
前記移動伝達ネットワークによって保持された前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から該第２無線アクセスネットワークを介した経路に切り替える工程とを有することを特徴とする移動通信方法。
【請求項２】
前記第１移動局が、前記サービス制御ネットワークに対して、前記ビデオベアラを削除するように要求する工程と、
前記サービス制御ネットワークが、前記移動伝達ネットワークに対して、前記ビデオベアラを削除するように要求する工程と、
前記移動伝達ネットワークが、前記サービス制御ネットワークからの要求に応じて、保持している前記ビデオベアラに係る情報を削除し、前記第１無線アクセスネットワーク内の無線基地局に対して、前記ビデオベアラを削除するように要求する工程とを有することを特徴とする請求項１に記載の移動通信方法。
【請求項３】
前記第１移動局が、前記サービス制御ネットワークに対して、前記ビデオベアラを追加するように要求する工程と、
前記サービス制御ネットワークが、前記移動伝達ネットワークに対して、前記ビデオベアラを追加するように要求する工程と、
前記移動伝達ネットワークが、前記サービス制御ネットワークからの要求に応じて、前記ビデオベアラに係る情報を前記保持している情報に追加し、前記無線基地局に対して、前記ビデオベアラを追加するように要求する工程とを有することを特徴とする請求項１に記載の移動通信方法。
【請求項４】
前記切り替え方法に係る情報は、前記ビデオベアラ及び前記音声ベアラの両方を切断することなく切り替えることを示すことを特徴とする請求項１乃至３の何れか一項に記載の移動通信方法。
【請求項５】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、
前記移動伝達ネットワークに含まれる移動管理ノードが、前記サービス制御ネットワークより通知された前記ビデオ通信用の経路の切り替え方法に係る情報と前記ビデオベアラに係る情報と前記音声ベアラに係る情報とを保持する工程と、
前記移動伝達ネットワークによって保持された前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から該第２無線アクセスネットワークを介した経路に切り替える工程とを有することを特徴とする移動通信方法。
【請求項６】
前記移動伝達ネットワークに含まれるポリシー及び課金ルール装置が、前記第１無線アクセスネットワークを介した経路から該第２無線アクセスネットワークを介した経路への切り替えの対象有無を前記移動伝達ネットワークに含まれるサービングゲートウェイ装置に対して送信する工程と、
前記サービングゲートウェイ装置が、前記ポリシー及び課金ルール装置から受信した前記切り替えの対象有無を前記移動管理ノードに対して送信する工程とを有することを特徴とする請求項１または請求項５に記載の移動通信方法。
【請求項７】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおいて用いられる移動管理ノードであって、
前記サービス制御ネットワークより通知された前記ビデオ通信用の経路の切り替え方法に係る情報と前記ビデオベアラに係る情報と前記音声ベアラに係る情報とを保持し、
前記第１無線アクセスネットワーク内の無線基地局に対して、保持した前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から該第２無線アクセスネットワークを介した経路に切り替える要求を送信することを特徴とする移動管理ノード。
【手続補正書】
【提出日】平成24年6月20日(2012.6.20)
【手続補正１】
【補正対象書類名】特許請求の範囲
【補正対象項目名】全文
【補正方法】変更
【補正の内容】
【特許請求の範囲】
【請求項１】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、
前記ビデオ通信用の経路を構成するビデオベアラ及び音声ベアラを設定する場合に、前記サービス制御ネットワークが、該ビデオ通信の切り替え方法について決定する工程と、
前記移動伝達ネットワークが、決定された前記切り替え方法に係る情報と前記ビデオベアラに係る情報と前記音声ベアラに係る情報とを、前記第１無線アクセスネットワークを介した経路から前記第２無線アクセスネットワークを介した経路に切り替える前に保持する工程と、
前記移動伝達ネットワークによって保持された前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から前記第２無線アクセスネットワークを介した経路に切り替える工程とを有することを特徴とする移動通信方法。
【請求項２】
前記第１移動局が、前記サービス制御ネットワークに対して、前記ビデオベアラを削除するように要求する工程と、
前記サービス制御ネットワークが、前記移動伝達ネットワークに対して、前記ビデオベアラを削除するように要求する工程と、
前記移動伝達ネットワークが、前記サービス制御ネットワークからの要求に応じて、保持している前記ビデオベアラに係る情報を削除し、前記第１無線アクセスネットワーク内の無線基地局に対して、前記ビデオベアラを削除するように要求する工程とを有することを特徴とする請求項１に記載の移動通信方法。
【請求項３】
前記第１移動局が、前記サービス制御ネットワークに対して、前記ビデオベアラを追加するように要求する工程と、
前記サービス制御ネットワークが、前記移動伝達ネットワークに対して、前記ビデオベアラを追加するように要求する工程と、
前記移動伝達ネットワークが、前記サービス制御ネットワークからの要求に応じて、前記ビデオベアラに係る情報を前記保持している情報に追加し、前記無線基地局に対して、前記ビデオベアラを追加するように要求する工程とを有することを特徴とする請求項１に記載の移動通信方法。
【請求項４】
前記切り替え方法に係る情報は、前記ビデオベアラ及び前記音声ベアラの両方を切断することなく切り替えることを示すことを特徴とする請求項１乃至３の何れか一項に記載の移動通信方法。
【請求項５】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおける移動通信方法であって、
前記移動伝達ネットワークに含まれる移動管理ノードが、前記サービス制御ネットワークより通知された前記ビデオ通信用の経路の切り替え方法に係る情報と前記ビデオベアラに係る情報と前記音声ベアラに係る情報とを、前記第１無線アクセスネットワークを介した経路から前記第２無線アクセスネットワークを介した経路に切り替える前に保持する工程と、
前記移動伝達ネットワークによって保持された前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から前記第２無線アクセスネットワークを介した経路に切り替える工程とを有することを特徴とする移動通信方法。
【請求項６】
前記移動伝達ネットワークに含まれるポリシー及び課金ルール装置が、前記第１無線アクセスネットワークを介した経路から該第２無線アクセスネットワークを介した経路への切り替えの対象有無を前記移動伝達ネットワークに含まれるサービングゲートウェイ装置に対して送信する工程と、
前記サービングゲートウェイ装置が、前記ポリシー及び課金ルール装置から受信した前記切り替えの対象有無を前記移動管理ノードに対して送信する工程とを有することを特徴とする請求項１または請求項５に記載の移動通信方法。
【請求項７】
回線交換通信をサポートしていない第１無線アクセスネットワークと、該第１無線アクセスネットワークを収容する移動伝達ネットワークと、回線交換通信をサポートしている第２無線アクセスネットワークと、サービス制御ネットワークとを具備しており、第１移動局と第２移動局との間で行われるビデオ通信用の経路を切断することなく該第１無線アクセスネットワークを介した経路から該第２無線アクセスネットワークを介した経路に切り替えることができる移動通信システムにおいて用いられる移動管理ノードであって、
前記サービス制御ネットワークより通知された前記ビデオ通信用の経路の切り替え方法に係る情報と前記ビデオベアラに係る情報と前記音声ベアラに係る情報とを、前記第１無線アクセスネットワークを介した経路から前記第２無線アクセスネットワークを介した経路に切り替える前に保持し、
前記第１無線アクセスネットワーク内の無線基地局に対して、保持した前記切り替え方法に係る情報と前記ビデオベアラに係る情報と前記音声ベアラに係る情報とに基づいて、前記第１移動局と前記第２移動局との間で行われるビデオ通信用の経路を、前記第１無線アクセスネットワークを介した経路から前記第２無線アクセスネットワークを介した経路に切り替える要求を送信することを特徴とする移動管理ノード。